(57)【要約】  フィッシングルアーシステムであって、１またはそれ以上のパーツでなるルアー本体（３０）と、前記ルアー本体（３０）に粘着手段および/または熱による収縮またはルアー本体（３０）に沿わせる他の手段により取り付けられ、少なくとも１の取り替え可能な装飾された樹脂スリーブまたはカバー（４００）とを具える。
2008500030.tif 000002
【特許請求の範囲】
【請求項１】
ルアー本体と、カバースリーブまたはカバーのアセンブリとを具えるフィッシングルアーにおいて、
１）１以上の前記カバーまたはスリーブが配置され前記ルアー本体に極めて接近するよう収縮された、それぞれ１以上のパーツで形成された１またはそれ以上のルアー本体部でなるルアー本体であって、当該ルアー本体が以下の１あるいはそれ以上の組合せで構成されており、
ａ）樹脂内に気体を封入する発泡剤などの添加剤を含むあるいは含まないポリオレフィン、ポリスチレン、ポリエチレンを含む樹脂材、
ｂ）樹脂内に気体を封入する発泡剤などの添加剤を含むあるいは含まないポリオレフィン、ポリスチレン、ポリウレタンを含む樹脂であって、中空で空気の入った密封された区画であって前記ルアーが水中で用いられたときにも前記中空区画に水が入らないようにした１またはそれ以上のピースに形成されたもの、
ｃ）金属、
ｄ）木材、
ｅ）前記ルアー本体が接続手段および/または前記舌属手段を取り付ける手段であって、以下の１つあるいはそれ以上の組合せに取り付けられ、あるいは着脱可能に取り付けられる手段を具え、
ｉ）以下の１またはそれ以上を取り付けおよび/または取り外すクイックリリースアタッチメント器具、
ｉｉ）釣り糸、
ｉｉｉ）フック
ｉｖ）スイベル
ｖ）独立したルアーあるいはルアーの一部
ｖｉ）魚の注意を惹くように設けられた光源
ｖｉｉ）１またはそれ以上の平坦あるいは形成された部分であって、公知の手段により前記ルアー本体の１またはそれ以上の箇所の一部として形成されまたは固定されまたは着脱可能に取り付けられ、前記ルアーを水中で使用する場合の動きおよび/または遊泳動作および/または方向および/または姿勢および/または通常動作深度レベルを導く補助となるものであり、前記平坦あるいは形成された部分は前記ルアー本体と一体的な１またはそれ以上の部分として形成され、そして別に取り付けられる場合は異なる寸法および/または形状に形成され、これは前記ルアーを水中で使用する場合の異なる動きおよび/または遊泳動作および/または方向および/または姿勢および/または通常動作深度レベルを実現する異なる寸法および/または形状であってもよく、
ｆ）前記ルアー本体が、前記ルアー本体を水中で使用する際にノイズを生成するラトル器具または手段を取り付けあるいは内包し、またはこれを取り付けあるいは内包する手段を具え、
ｇ）前記ルアー本体が、餌動物を描写しあるいは模した、または魚を惹きつける様々な形状であって、好適には先端の直径または断面積が前記本体部の後ろの部分より小さく、前記１またはそれ以上のスリーブが熱により収縮したときに前記本体部とスリーブの組合せにおいて後ろに移動した場所で測定した場合に前記先端部の長さが前記収縮したスリーブの断面端部の長さより小さくなり、および/または前記本体部が、前記スリーブが収縮して取り巻きまたは接触し得る隆起またはチャネルまたは突出形状またはチャネルまたはカウル型形状の１またはそれ以上の形状を有し、これにより前記スリーブが前記ルアー本体に保持され、および/または１以上の前記スリーブの１以上の自由端または端縁が覆われ、前記ルアーを水中で早く流し釣りしたときに水圧で前記スリーブが前記ルアー本体部または複数の部分から剥がれたり取り除かれるのを防止する形状を有し、
ｈ）ある実施例では前記ルアー本体が、前記ルアー本体のノーズ部分の一部をカバーする分離したノーズピースカバーと、水中で使用する際に前記カバーまたはスリーブの先端部とルアー本体との間に水が流れるのを少なくとも防止する１以上のスリーブ開口とを具え、
ｉ）別の実施例では、前記ルアー本体が、部分円錐型（frusto conical）のノーズ部分および/またはノーズピースカバーと１またはそれ以上の前記スリーブとの組合せで構成され、前記スリーブの大部分が少なくとも部分的に頭足動物の外観を模倣するのに使用されるストリップの形態であり、
２）１またはそれ以上のカバーまたはスリーブが前記ルアー本体をカバーおよび/または装飾し、前記カバーまたはスリーブは様々な形状であってよいが好適には筒状または部分円錐（frusto conical）形状またはこれらの組合せであり、前記カバーまたはスリーブが以下のあるいはその組合せを有し、
ａ）スリットまたは開口を有するカバーまたはスリーブ、
ｂ）様々な所望の長さのカバーまたはスリーブ、
ｃ）樹脂フィルムで構成されたカバまたはスリーブであって、このような樹脂フィルムは適切な熱を加えると収縮し、限定するものではないが透明および/または着色および/または色づけおよび/または印刷または他の画像転写手段によりおよび/または一体構成により魚または甲殻類または様々な生物または形状および/または色彩の外観により様々な海生物または淡水生物に魅力的なものを描いた様々なデザインや形状を有し、限定するものではないが以下のカバーまたはスリーブの組合せを含み、
ｉ）連続的に形成された平坦なストリップの要素として複数のカバーを具え、１またはそれ以上の端縁および前記ストリップの少なくとも１の長辺が粘着手段を具え、これにより対応する自由端縁を前記粘着剤の働きにより、または前記スリーブを収縮させる前に前記対応する自由端縁の少なくとも一方に粘着剤を設けることにより、前記ストリップがルアー本体の周囲の少なくとも１のチューブ形スリーブ形状に形成されたもの、
ｉｉ）予め長さ方向の端部が開口したチューブ形に形成されたもの、
ｉｉｉ）ルアーをカバーするのに１以上のスリーブを用いるようデザインされたもの、
ｉｖ）１のスリーブがルアー本体の後部をカバーし装飾するが、前記スリーブのスリットにより１またはそれ以上のフック連結ポイントまたはフック連結手段を越えて前方に延び、第２のスリーブで前記ルアーの全部をカバーし少なくとも前記ルアーの後部をカバーしているスリーブまたは複数のスリーブの最前端部をカバーして重なり、熱または他の手段により前記カバーまたはスリーブを収縮させる際に、前記ルアー前部のスリーブが位置決めされ、少なくとも前記ルアー後部をカバーしているスリーブまたは複数のスリーブの前端部が当該スリーブあｍたは複数のスリーブの先端を保持および/または保護する役割を果たし、前記ルアーを早く流し釣りするときに水流の力または圧力により前記ルアー本体部または複数の部分から前記スリーブが剥がれたり取り除かれるのが防止され、前記ルアー本体の後部をカバーするスリーブと前記フック連結ポイントの前方に延びるスリットを有するスリーブとが前記フック連結ポイントからフックを取り外すことなく前記ルアー本体に適用されるもの、
ｖ）様々なカバー要素パターンまたは印刷デザインまたは形状が収縮しない材料の上に形成および/または印刷される際に許容度が設けられており、このデザインやパターンを収縮するにあたりルアーの所望の最終デザインまたはパターンが形成されるようデザインされたもの、
ｖｉ）各カバーまたはスリーブが、印刷されていないスペースまたはカットゾーンで好適に互いに分けられており、個々のカバーまたはスリーブが、多数の前記ルアーカバーがストリップまたはスリーブとして含まれるロールまたはストリップから切り出されるもの、
ｄ）少なくとも１の前記カバーまたはスリーブの少なくとも一部が複数のストリップとして形成されており、または１またはそれ以上の分離したストリップまたはストリップ群が前記ルアー本体の１またはそれ委序の前記カバーまたはストリップまたは環形スリーブ部分の下に組み込まれあるいは取り付けられており、
ｅ）金属フォイル、
ｆ）金属化された樹脂フィルムおよび/または金属フォイルや着色金属フォイルのように高反射処理された樹脂フィルム、
ｇ）着色し金属化された樹脂フィルムであって様々な金属フォイルまたは金属化された樹脂フィルムを含み、これらは前記フォイルまたはフィルムの面の向きや方向が変わると変化する多数の色の光を反射するホログラムの視覚的外観を有してもよく、
ｈ）前記カバーまたはスリーブが、フックや釣り糸の装着ポイントおよび/または他のルアーやルアーパーツの装着ポイントにアクセス可能な１またはそれ以上のスリットまたは開口を有し、１の自由端と少なくとも１の開放された側縁部を具える前記ルアーおよび/または１またはそれ以上のストリップの作成用または形成された部分であって、ストリップまたは形成された部分がルアーの後部またはその方向に配置され、着色および/または反射または輝く材料でなる複数のストリップで構成された波打つテールの効果を有し、
ｉ）前記カバーまたはスリーブの樹脂の前部または一部が１またはそれ以上の軸で収縮し、および/または極小に収縮し、あるいは１またはそれ以上の箇所で熱によりまったく収縮せず、または他の手段により収縮され、これらのカバーまたはスリーブは、１またはそれ以上の非収縮型のカバーまたはスリーブおよび/または、例えばスリーブ材料を形成し、あるいは前記スリーブ材料をテールとして形成し、または成型固形ピースの上に前記スリーブ材料を収縮させて前記固形ピースの形状に沿わせたテールピースとして形成されたスリーブ材料の一部の上に、ルアー本体に１またはそれ以上の収縮型のカバーまたはスリーブを適用することによりカバーされその位置に保持され、
ｊ）前記カバーまたはスリーブが、前記スリーブを前記ルアー本体の上に位置決めおよび/または保持または位置決めや保持を補助すべく１またはそれ以上の箇所に粘着剤を具え、
ｋ）前記カバーまたはスリーブが１またはそれ以上の開口または前記カバーまたはスリーブの少なくとも外側と下のルアー本体および/または下のスリーブとの間に水を導くよう形成された開口を有し、これにより少なくとも１の前記カバーまたはスリーブの少なくとも一部の面における動きを促進し、
ｌ）カバーまたはスリーブあるいはルアー本体の外観を一新する場合であって、例えば損傷したり形状や色彩を、前記ルアー本体およびスリーブアセンブリの外観について変更が望まれる場合などスリーブアセンブリが望まれる場合、前記スリーブを鋭利な刃物で切り裂くことにより前記スリーブを前記ルアー本体から容易に除去して、１またはそれ以上の新規なスリーブを前に使用していたルアー本体に適用し、
ｍ）ある実施例では１またはそれ以上の前記カバーまたはスリーブまたはスリーブの部分が、ホログラフィー効果または着色または多色を有するフォイル状材料など高反射率の光沢のある材料でなる下層の少なくとも一部に被さり、
３）ルアー本体およびカバーを、、熱を加える際に少なくとも１の前記ルアー本体部分と少なくとも１の前記スリーブの組合せを保持または吊るす装置を具え、ある実施例では前記装置は筒型形状であり、一方の端部が開放され他方が調節可能に部分的に閉塞され、例えば煙草用のガスライターなどの手段により熱を加える１以上の側部開口を具え、別の実施例では前記熱源装置は小型の電気ヒータや熱風ブロアであり、
当業者は本発明を離れることなく類似のルアーシステムを作成する代替手段を発見しうるルアー。
【発明の詳細な説明】
【技術分野】
【０００１】
本発明は、フィッシングルアーに関する。
【背景技術】
【０００２】
本明細書において、従来技術への様々な言及は、これらの従来技術がこの分野における共通の知識として広く知られていると認めるものではない。
【０００３】
従来技術のフィッシングルアーは多数あり、大部分が木材か樹脂を成型したソフトまたはハードな形状でなり、塗装されているか、そうでなくても魚を惹きつけるのに好適と考えられるデザインの装飾がなされている。
【発明の開示】
【発明が解決しようとする課題】
【０００４】
このようなルアーは、各ルアーの形を別個に塗装する必要があるため非常に高価で、魚が噛んだり岩や倒木の粗い面で傷ついたりして装飾仕上げの少なくとも一部が損傷するダメージや、特定の釣りの条件や魚の種類または場所などに応じてアングラーが様々な種類のルアーの色、形状、その他の構成のものを利用できるように携帯する必要があるなど、アングラーが受ける使用制限がある。
【０００５】
本発明の目的は、従来技術の上記欠点の１以上を解消または改善し、あるいは有用な代替案を提供することである。
【課題を解決するための手段】
【０００６】
本発明は、少なくとも、付け替え可能な装飾カバーを用いて、アングラーがルアー本体に比較的安価な装飾プラスチックカバーを装着してルアーの外観を一新あるいは変更できるようにして、少なくとも幅広いフィッシングルアーのコストを低減する。
【０００７】
本発明の一態様は、樹脂や木材など適切な材料でなる１以上のルアー本体部材を具えるフィッシングルアーであって：
（ａ） オープンまたはクローズのリングまたはアイレット；
（ｂ）スイベル；
（ｃ）クリップ、などのアタッチメント具を具え；これらに
（ｉ）釣り糸およびフック；
（ｉｉ）前記ルアーが動く方法、および／または前記ルアーが水中で動く深さを変更する装置；
（ｉｉｉ）光源；
（ｉｖ）あらゆる軸でスピンまたは旋回あるいは動く反射材料の器具；
（ｖ）ルアーの動きに会わせてノイズを出すラトルのような器具；
（ｖｉ）他のルアー本体部材、のいずれか１以上が取り付けられており、
装飾された樹脂フィルムまたは装飾された金属フォイルあるいはこれらの組合せでなり前記ルアー本体に被せる１以上の装飾カバーまたはカバーピースを具える。
【０００８】
本発明の別の態様は、ルアー本体またはルアー本体部材であって、所望の形状に樹脂を成型してなり、前記樹脂の形状内にアタッチメント器具のアセンブリの少なくとも一部を具え、前記樹脂形状内のアタッチメント器具のアセンブリの一部が、前記アタッチメント器具のアセンブリを前記ルアー本体部材に装着している。
【０００９】
本発明の別の態様は、ルアー本体またはルアー本体部材であって、前記ルアーが流し釣りの際に所望の深さまで移動したり、および／または、不規則な動きや負傷した餌を模した動きなどの特性を示すようにルアーの前に設けられる器具を含む器具を受けるように形成された１またはそれ以上の開口またはチャネルまたはスリットが形成されている。
【００１０】
本発明の他の態様は、ルアー本体用のカバーまたはカバーピースの１またはそれ以上の組合せであって：
Ｉ）ルアーに用いるのに適した別々のカバーまたはカバーピースであって、前記カバーの１以上の表面に粘着剤が設けられているもの；
ＩＩ）平坦なストリップに印刷または転写されたカバーまたはカバーピースであって、前記ストリップが輸送または収納のために巻回あるいは折り畳まれており、前記部材が樹脂材にスリットまたは穴が設けられた部材であって前記カバーの１以上の表面に粘着剤が設けられ別のカバーピースとの間に適切なカットスペースがあるもの；
ＩＩＩ）平坦なストリップに印刷または転写されたカバーまたはカバーピースであってストリップがさらに、前記カバーの１以上の表面に設けられた粘着剤を含む公知の手段によりチューブ形に形成され、各カバーが適切なカットスペースで隔てられている。前記チューブは輸送または収納のために巻回または折り畳まれ；
高反射材料を含む材料で構成されている。以下を含むがこれらの組合せに限定されるものではない：
１）アルミニウムフォイルまたは着色アルミニウム；
２）熱を与えて１以上の軸方向に収縮処理した樹脂フィルムを含む、着色剤を含むあるいは含まない樹脂フィルム；
３）樹脂フィルムに反射材を皮膜または内包させた金属化樹脂フィルム；
４）印刷されたデザインまたは様々な着色形状を有する着色された樹脂フィルム；
５）印刷または他の画像あるいはフォイル転写手段により、および／またはそれ自身に一体形成することにより、その形状および／またはデザインおよび／または色彩の美観により海中または淡水に住む生物にとって魅力的な魚または甲殻類あるいは様々な生物または物、および／または象徴物あるいは海中あるいは淡水中に住む生物にとっての潜在的な餌を現す様々なデザインまたは形状を有する樹脂または樹脂フィルム；
６）皺がないか熱による最小限の皺を有する樹脂フィルムやフォイルなどのカバー材料であって、前記カバー材料がこれらの材料でルアー本体のカバーが形成されるようスリットが入れられあるいは形成され、前記カバーが前記ルアー本体の最も幅のある断面部分をカバーするのに用いられるスリットのない部分を有し、前記スリットは好適に前記カバーのスリット部分を前記スリットのない部分から遠い末端において細くなるテーパストリップに形成し、これにより前記カバー材料あるいは少なくとも前記スリットで形成されたストリップが、より簡単にルアー本体の表面に対して平坦となる方向に横たえられあるいは調整され、前記カバーの少なくとも一部が例えば１またはそれ以上のほぼ透明なチューブ型カバーまたはスリーブに被さり、その後に熱を与えて前記ほぼ透明なカバーまたはスリーブが前記ルアー本体にぴったりなるように収縮され、これによりスリットカバーまたはアンダーカバーが配置される。前記スリット付きのアンダーカバーはまた、あるいはいくつかのスリットの代わりに、好適には高さと幅が少なくとも同じ断面積の形に形成されたテール部を具え、前記テール部は貼り付けられた材料の１またはそれ以上の固い部分からなり、あるいは前記テールを形成する材料が前記テール部の形を巧みに維持して固いテール部に作用する水流によりテールの動きが導かれる。
【発明を実施するための最良の形態】
【００１１】
本発明の好適な実施例を、あくまでも例示として、添付の図面を参照して以下に説明する。
【００１２】
図１は、アタッチメント器具１２または外部ルアー部材２０Ａを残して上に樹脂製ルアー本体が成型されるアタッチメントアセンブリまたはサブフレームを示す図である。この好適な実施例では、前記サブフレームはワイヤリグまたは、金属および／またはケブラーなど他の丈夫な材料の混合でなり、以下のものを形成および／または別に形成している：
例えばルアーの鼻先のリングまたはアイレット１２Ｂ、１２Ｃ、テールの１２Ｄといった釣り糸や１以上のフックや１以上の追加のルアー部材を実装するポイント；
ルアー本体の樹脂母体内または前記ルアー本体内に形成された空洞内の１以上の補助具２０であって、ノイズ発生具またはラトルおよび／または錘および／または浮力器具。前記補助具２０は好適には製造時にサブフレームに組み込まれる；
前記ルアーが流し釣りされる場合に所望の深さで移動するように、および／または不規則な動きや負傷した餌を模した動きなどの所望の動きとなるようにする、ルアー本体に外付けされる１以上の器具２０Ａ。
【００１３】
図２は、カバーのない基本のルアー本体３０を示し、前記サブフレームまたは複数のサブフレームあるいは２以上の結合フレームをアタッチメント器具１２Ｂ、１２Ｃ、１２Ｄを残して例えば成型樹脂などの適切な材料で包んだ１以上のパーツで構成され、前記ルアー本体は餌の魚や餌の生物の複写の形を模した所望の形状、および／または流し釣りした場合に所望の特性を示す形状に形成され、このような形状は前記サブフレームの包みと一体成型されるか前記サブフレームまたはルアー本体に追加されるか前記ルアー本体に着脱可能および／または適合可能に実装され、前記ルアーを流し釣りした場合に所望の深さを移動したり、および／または不規則な動きや負傷した餌を模した動きといった所望の方法で動くといった１以上の特徴を示すように、例えば１以上のフィンまたは突起または装置を具える。
【００１４】
前記ルアー本体はさらに：
前記フィンまたは突起を保持する固定具とともに前記フィンまたは突起を受ける形状の（図示しない）穴またはスリットまたはチャネル；
前記カバーまたはスリーブがその周囲にあるいは沿って縮まることにより、使用時に前記ルアー本体に前記カバーを保持する隆起３５のような突出部を具える。
【００１５】
図２Ａは、１より多いルアー本体部からなるカバーなしのルアー本体であり、少なくとも第１の部分と第２の部分３１とを具え、これらの部分は１以上の装着ポイント１２、１３を具える。前記装着ポイント１３はルアー本体の外部に設けられているが、ルアー本体の餌に似た形状全体の表皮または形状全体の内側である。図１の説明で参照した複数の要素は、どの装着ポイントに取り付けられてもよく、本実施例では装着ポイント１３は少なくとも、あるいは付加的に、公知の手段で互いに連結されて関節をなし、これにより前記ルアー本体部が互いに独立して動作しうる。装飾カバーまたはスリーブが、前記装着ポイント１３にかからないようにルアー本体型に被せられる。前記ルアーが水中で動作する際の前記ルアー本体部の関連動作は、餌が泳いでいる動きに類似し（図示せず）、ルアーのカバーまたは表面の様々な反射材からの光の反射が増大する。ルアー３１の後部はテール部の形状を有し、この上にルアー本体カバーのテール部が貼り付けられ、前記テール部は代替的に”ＡＡ”の点線で分離したピースであり関節部で装着ポイント１３により連結されていてもよい。
【００１６】
図３は、様々な公知の着色および／または装飾および／または高反射の材料でなり、好適には前記基本の本体形状に被せられるチューブ形に形成されたルアーカバーあるいはスリーブ４００を示し、前記スリーブは熱や接着剤などにより前記ルアー本体またはルアー本体ピースの少なくとも端部の形状に沿ってぴったりと固定される。このカバーまたはスリーブは、装飾が印刷された樹脂フィルムであってもよく、このような樹脂フィルムは、例えばルアーの向きの変化に応じて色彩が変わる高反射面を示すホログラフィー効果を有する蛍光色のフォイルを含む、１以上の色彩の高反射仕上げを有する種類の樹脂フィルムである。前記カバーまたはスリーブは、魚のような模様４０５のデザインが印刷されており、前記ルアー本体形状の形状および寸法と一致した魚類を模倣した形状または他の魚にとって魅力的な形態であり、前記スリーブが前記基本の本体上に収縮された場合、印刷模様は収縮用にデザインされており、前記印刷模様が収縮した場合に所望の外観となる。カバーあるいはスリーブは、１以上の穴４１０を具え、カバー間またはカバーの下に水を通すようにしてもよく、これにより水が通ったり前記穴およびカバーの下を通るのに応じて１以上のカバー表面の外観および光の反射が別の方向に変わる。
【００１７】
図４は、図３に示すカバーまたはスリーブを、熱または他の手段によりルアー本体の部分に収縮させたものを示す。スリーブを設けた後、樹脂または金属で成形されたノーズピース３６が必要に応じてルアーのノーズ部に配置され、あるいは少量の粘着剤を用いて熱収縮材料の先端の隙間または穴が塞がれ、流し釣りの圧力で前記スリーブの先端の下に水が浸透して下のルアー本体からスリーブが剥がれないようにする。このカバーまたはスリーブは、前記ルアー本体形状より長く、一部が薄いストリップ４１５で構成され、ルアーが水中で流し釣りされる場合に魚を惹きつけるように曲がり光や色を反射する。透明および/または装飾的な着色または様々な餌の外観の特徴を１以上描写する印刷４０５がなされ、他のカバーまたはスリーブの上に設けられる表層のスリーブを含む１以上の反射材のカバーまたはスリーブを具えてもよい。適用されたカバーまたはスリーブの出っ張った尾部４１５は薄いストリップの形態をなし、水中で動くと曲がり、動くと光や適用された各カバーまたはスリーブの色彩を魚を惹きつけるように反射する。別の実施例では、このカバーまたはスリーブの部分４１５は代替的に、図２Ａに示すようにルアー本体のテール部３１Ａ上に収縮され尻尾の形状であってもよい。
【００１８】
図４Ａは、アタッチメント手段１２とスロット２０Ｂを具えるルアー本体３０の断面図であり、前記スロットは横方向の半円溝２０Ｄを有し、この半円の語は前記チャネルの断面形状をいうものである。前記本体に形成されたスロットおよびチャネルは、同じく半円溝２０Ｅ有する器具２０Ａを収容して固定配置し、これが前記半円溝２０Ｄと組み合わさってピン２０Ｃを受ける円形の穴となり、これで器具２０Ａがこの位置に固定される。前記器具２０Ａは、図１に示す器具２０Ａや本明細書中のいずれかの器具と同じ目的である。
【００１９】
図５は、カバー材料５００の平坦なストリップの一部であり、縦の自由端縁５０５、５１０と、前記ストリップの各カバーピースの間で分けるカットスペース５２０とを有する。端縁５０５および/または５１０は、製造時に粘着剤が設けられ、粘着保護片または層（図示せず）を設けて、輸送や収納のためにストリップが巻回あるいは折り畳まれたときに粘着剤が周囲の材料に接着しないようにしている。ルアー本体のカバーを作成するには、前端部５２５を有する第１のカバー材５３０をルアー本体の周囲で形成し、これは仕切り線５２０で切断してカバー材５００の平坦なストリップと分離させ、この分離したカバー材５３０を図２に示すように、自由端縁５０５、５１０がアタッチメント器具１２Ｃに接するか（図２参照）、互いに重ねらる場合はアタッチメント器具１２Ｃ用の小さなスリットが必要であり、前記自由端縁５０５、５１０に接する面はホットメルト接着剤などの粘着手段によりルアー本体に貼り付けられ、この粘着剤を設ける際に熱源がカバーまたはスリーブに適用され、カバーがルアー本体の形状に沿って収縮する。希望する場合、十分な長さのカバーをルアー本体の尾部のアタッチメント器具１２Ｄに被せ：
本発明の別の実施例では尾部が別に固い材料で形成され、前記カバーまたはスリーブのの重なる部分に挿入され、前記カバーまたはスリーブをその後に形成した固い材料でなる尾部の上に収縮させて、材料の柔軟性によりルアー本体から少なくとも部分的に独立して動く尾部を構成する；
別の実施例では、前記重なった部分に熱を適用せず、前記重なった部分は収縮せず、前記重なった部分を細長く切って小片とする；
前記小片または形成された尾部はルアーが水中で流し釣りされるときに曲がり、魚を惹きつけるように動いて光りや色彩を反射する。
【００２０】
前記カバー材料の平坦なストリップはまた、縦の自由端縁５０５、５１０の近くの対応する面を公知の手段で互いに接着することによりチューブ形に形成されてもよく、チューブ形のカバー材料のストリップを用いてルアー本体のカバーを製造する手段は、カバー材料の平坦なストリップを用いるのと同様であるが、アタッチメント器具１２Ｃ（図２参照）に合うスリットを設ける必要があり、またはスリットを設けない場合はアタッチメント穴１２Ｅ（再び図２参照）の周囲の収縮したカバー材料に穴をあける。
【００２１】
図６は、通常の向きのカバーのないルアー本体３０を示す。
【００２２】
図７は、図６のルアー本体を下側から見た図であり、実質的にルアー本体の前後間に延在するチャネルまたは溝３６を示す。別の実施例では、チャネル３６は分断され、またはアタッチメント器具１２Ｃの一方または他方の側に延在し、あるいは分岐してアタッチメント器具１２Ｃの両側を通ってもよい。
【００２３】
図８は、図７に示すルアー本体３０のＢＢ断面図であり、チャネル３６が前記チャネルの底の最も大きな断面積より僅かに小さい開口を有している。平坦なストリップまたはチューブ形でないカバーをルアー本体に用いる場合、カバー５００の自由端縁または少なくとも前記自由端縁に隣接する部分（断面図に部分的に示す）がチャネル３６に挿入され、前記カバーは、断面５０Ａで示される圧縮性の筒型の小片５０を用いて前記チャネル内に保持され、この断面積５０Ａはチャネル３６の断面積より僅かに大きく、前記圧縮性の小片５０は、凹面６５を有するツール６０により配備され、すなわちこの凹面が前記圧縮性の小片５０の凸面に押しつけられて前記圧縮性の小片５０がチャネル３６内に収まる。さらに、自由端縁５０５、５１０が重なる場合、最初にチャネル３６に挿入される自由端縁の上面に粘着層が設けられ、次に他方の自由端縁を前記粘着層を設けた自由端縁の上に配置し、その後前記圧縮性の小片５０がチャネル３６に挿入される。凹面６５は、環形形状の外周で構成することができる。
【００２４】
図９は、カバーの部分斜視図であり、ロールに蓄積された連続的なチューブ形から分離された、ルアー本体３０に被せられる（図６参照）チューブ形カバーピース４０１、４０２を具え、アタッチメント器具１２Ｄが前記ルアー本体の後部にあり、前記ルアー本体後部に被せられるカバーピース４０２がスリットまたは開口４２０を有し、前記スリットまたは開口が後端壁４２５を有し、カバーピース４０２を前記ルアー本体に取り付ける際に後端壁４２５がアタッチメント器具１２Ｃに接するか近接して自由端部４２８がアタッチメント器具１２Ｃの前に出て、カバーピース４０１が取り付けられ後ろの自由端部４１１がカバーピース４０２の前記先端部４２８の上を通り、アタッチメント器具１２Ｃに接するか近接する。カバーピース４０２のスリットまたは開口４２０および先端部４２８は、これにおりカバーピース４０１により覆われ、熱または他の手段を用いたカバーピースの収縮時に双方のカバーピースは前記ルアー本体上に保持される。有利なことに、スリット４１５とスリットまたは開口４２０はカバー材料に形成されており、チューブ形構造に形成される前に小片状態である。
【００２５】
アタッチメント器具、特に中央のアタッチメント器具１２Ｃ（図２参照）にフックが取り付けられている状態では、２つのチューブ形カバーピースからなるチューブ形ルアーカバーを、前記フックを取り外さずに好適に適用できる。
【００２６】
図１０は、餌の形状の連続ストリップ６００の例示部分であり、熱で収縮しにくい高反射材料に餌の型６１０が印刷されＡＡ，ＢＢのペアとして切り出される。前記餌の型のペアは尾部のポイント６２０と、背中部分のポイント６１５で連結されている。餌の型の各ペアは、尾部の連結ピース６２５と背中部分の連結ピース６３０とにより前記餌の型の隣のペアと繋がっている。前記連結ピースと連結ポイント以外の他の端部は開放されている。餌の型が連結された各ペアは、連結ピース６２５、６３０を切断することにより隣接するペアと切り離される。分離した餌の型のペアは、連結ポイント６２０、６１５で折られ、図２Ａに示すようにルアー本体上に配置され、透明な材料でなるチューブ形のカバースリーブであって熱で収縮し図９示すカバーピース４０１、４０２と似た形状のものが前記餌の型の上に被せられ、熱によりカバーピース４０１、４０２が収縮して当該カバーピース４０１、４０２と餌の型がルアー本体３０（図２参照）に隙間なくぴったりとなり、これにより魅力的で高反射性の疑似餌が作成される。
【図面の簡単な説明】
【００２７】
【図１】図１は、樹脂製ルアーが成型されるサブフレームであり、アタッチメント器具１２ｂ、１２ｃ、１２ｄと外部ルアー部材２０Ａのみを残して示す。本発明の別の実施例では、別のアタッチメント器具１２Ａが他のアタッチメント器具から分離しており、ルアー本体を構成する樹脂母体に別で部分的に包まれ固定される。この好適な実施例では、前記サブフレームはワイヤリグまたは、金属および／またはケブラーなど他の丈夫な材料との化合物でなり、例えばルアーの鼻先のリングまたはアイレット１２Ｂ、ルアー中央の１２Ｃ、テールの１２Ｄといった釣り糸や１以上のフックや１以上の追加のルアー部材を実装するポイントを形成および／または別に形成している。
【図２】図２は、カバーされていない基本のルアー本体形状３０であり、前記サブフレームまたは複数のサブフレームあるいは２以上の結合フレームを、アタッチメント器具１２Ｂ、１２Ｃ、１２Ｄが露出するように成型樹脂などの様々な適切な材料で包んで１またはそれ以上のパーツに形成され、前記ルアー本体は、餌の魚や餌となる生物の複製、および／または流し釣りされた場合に所望の特性を示すような形状などの所望形状に形成される。
【図２Ａ】図２Ａは、カバーされていないルアー本体であり、１より多いピースからなり、２以上のピースが関節でつながれ、ルアーが水中で動く際に各パーツが互いに関連して動き、餌が泳いでいる動作を擬態する。
【図３】図３は、着色および／または装飾されたいずれかの公知材料および／または樹脂などの高反射材料で好適にはチューブ形状をなし、前記基本本体に被せられ前記スリーブが熱または接着剤あるいは他の固定剤を適用して前記ルアー本体あるいはルアー本体ピースの少なくとも自由端部の形状に沿って確実に固定されるルアーカバーまたはスリーブ４００を示す。このカバーまたはスリーブは装飾的に印刷された樹脂フィルムであり、このような樹脂フィルムは、例えばルアーの向きの変化に応じて色彩が変わる高反射面を示すホログラフィー効果を有する蛍光色のフォイルや、、１以上の色彩の高反射仕上げを有する種類の樹脂フィルムである。前記カバーまたはスリーブは、魚のような模様のデザインが印刷されている。
【図４】図４は、図３に示すカバーまたはスリーブを、熱または他の手段によりルアー本体の部分に収縮させたものを示す。
【図４Ａ】図４Ａは、ルアー本体３０の断面図であり、外付け器具を受けるスロットを示している。
【図５】図５は、カバー材５００の平坦なストリップの一部を示し、縦の自由端縁５０５、５１０と、前記ストリップにおける各カバーピース間を隔てるカットスペース５２０とが示されている。
【図６】図６は、通常の向きにあるカバーのないルアー本体３０を示す。
【図７】図７は、図６のルアー本体を下から見た図であり、実質的にルアー本体の前後間に延びるチャネルまたは溝３６を示す。別の実施例では、チャネル３６は分断され、あるいはアタッチメント器具１２Ｃの一方あるいは双方の側に延在し、あるいはアタッチメント器具１２Ｃの両側に分岐する。
【図８】図８は、図７に示すルアー本体３０のＢＢ断面図であり、チャネル３６が前記チャネル内の最も大きな断面積より僅かに小さい開口を有している。
【図９】図９は、カバーの部分斜視図であり、別の手段により巻回または折り畳まれあるいは収納された連続的なチューブ形からチューブ形カバーピース４０１、４０２が分離されている（収納手段は図示せず）。
【図１０】図１０は、連続的なベイト形ストリップ６００の例示部分を示し、高反射材料またはこの高反射材料の上にカバーされた透明フィルムに模様が印刷されている。
【図１】
2008500030.tif 000003
【図２】
2008500030.tif 000004
【図２Ａ】
2008500030.tif 000005
【図３】
2008500030.tif 000006
【図４】
2008500030.tif 000007
【図４Ａ】
2008500030.tif 000008
【図５】
2008500030.tif 000009
【図６】
2008500030.tif 000010
【図７】
2008500030.tif 000011
【図８】
2008500030.tif 000012
【図９】
2008500030.tif 000013
【図１０】
2008500030.tif 000014
【手続補正書】
【提出日】平成17年11月17日(2005.11.17)
【手続補正１】
【補正対象書類名】特許請求の範囲
【補正対象項目名】全文
【補正方法】変更
【補正の内容】
【特許請求の範囲】
【請求項１】
フィッシングルアーであって、当該ルアーが、
本体と；
外側カバーとを具え；
前記外側カバーが前記本体上に収縮されていることを特徴とするルアー。
【請求項２】
請求項１に記載のルアーがさらに、前記本体が設けられるフレームを具えることを特徴とするルアー。
【請求項３】
請求項２に記載のルアーにおいて、前記フレームがワイヤで構成されていることを特徴とするルアー。
【請求項４】
請求項２または３に記載のルアーにおいて、前記フレームは、前記本体から出る１またはそれ以上の装着ポイントを具えることを特徴とするルアー。
【請求項５】
請求項１乃至４のいずれかに記載のルアーにおいて、前記本体は適切な樹脂またはラバー材料を成型してなることを特徴とするルアー。
【請求項６】
請求項１乃至５のいずれかに記載のルアーにおいて、前記本体は魚の餌の形状を模した形状であることを特徴とするルアー。
【請求項７】
請求項１乃至６のいずれかに記載のルアーにおいて、前記本体が１より多いピースを具えることを特徴とするルアー。
【請求項８】
請求項７に記載のルアーにおいて、前記ピースは連結され互いに関して動作可能に関節でつながっていることを特徴とするルアー。
【請求項９】
請求項１乃至８のいずれかに記載のルアーにおいて、前記外側カバーは装飾されていることを特徴とするルアー。
【請求項１０】
請求項１乃至９のいずれかに記載のルアーにおいて、前記外側カバーは熱収縮材料で形成されていることを特徴とするルアー。
【請求項１１】
請求項１乃至１０のいずれかに記載のルアーにおいて、前記外側カバーはフィルムで形成されていることを特徴とするルアー。
【請求項１２】
請求項１乃至１１のいずれかに記載のルアーにおいて、前記外側カバーは、前記本体の少なくとも一部を通し前記本体にそって収縮するスリーブ形状であることを特徴とするルアー。
【請求項１３】
請求項１乃至１１のいずれかに記載のルアーにおいて、前記外側カバーは、前記本体を覆うほぼ平坦なシートの形状であることを特徴とするルアー。
【請求項１４】
請求項１３に記載のルアーにおいて、前記本体は、前記外側カバーを前記本体に保持する保持部材を収容するチャネルまたは溝を具えることを特徴とするルアー。
【請求項１５】
請求項１４に記載のルアーにおいて、前記外側カバーの開放端は前記チャネルまたは溝内に配置され、前記保持手段によりそこに保持されることを特徴とするルアー。
【請求項１６】
請求項１５に記載のルアーにおいて、前記保持部材は圧縮性であることを特徴とするルアー。
【請求項１７】
請求項１４乃至１６のいずれかに記載のルアーにおいて、前記チャネルまたは溝は、実質的に前記ルアー本体の前部と後部の間に延在することを特徴とするルアー。
【請求項１８】
請求項１乃至１７のいずれかに記載のルアーにおいて、前記外側カバーは光を反射する材料で構成されることを特徴とするルアー。
【請求項１９】
フィッシングルアーの製造方法であって、この方法が：
本体を形成するステップと；
前記本体に外側カバーを設けるステップとを具え；
前記外側カバーが前記本体上に収縮してなることを特徴とする方法。
【請求項２０】
請求項１９に記載の方法において、フレームがワイヤで構成されていることを特徴とする方法。
【請求項２１】
請求項１９または２０に記載の方法において、前記本体は適切な樹脂またはラバー材料で成型されることを特徴とする方法。
【請求項２２】
請求項１９乃至２１のいずれかに記載の方法において、前記本体は魚の餌の形状を模した形状であることを特徴とする方法。
【請求項２３】
請求項１９乃至２２のいずれかに記載の方法において、前記外側カバーは装飾されていることを特徴とする方法。
【請求項２４】
請求項１９乃至２３のいずれかに記載の方法において、前記外側カバーは熱収縮材料で形成され、熱により前記本体上に収縮されることを特徴とする方法。
【請求項２５】
請求項１９乃至２４のいずれかに記載の方法において、前記外側カバーは、前記本体の少なくとも一部を通し前記本体にそって収縮するスリーブの形状であることを特徴とする方法。
【請求項２６】
フィッシングルアー用のカバーであって、当該カバーが収縮性の材料でなることを特徴とするカバー。
【請求項２７】
請求項２６に記載のカバーにおいて、前記カバーは熱で収縮する材料で構成されることを特徴とするカバー。
【請求項２８】
請求項２６または２７に記載のカバーにおいて、前記カバーはフィルムで構成されることを特徴とするカバー。
【請求項２９】
請求項２６乃至２８のいずれかに記載のカバーにおいて、前記カバーは、前記本体の少なくとも一部を通し前記本体にそって収縮するスリーブ形状であることを特徴とするカバー。
【請求項３０】
請求項２６乃至２９のいずれかに記載のカバーにおいて、前記カバーは、フィルムに入射する光に応じて色が変わる反射面を具えるフィルムで構成されることを特徴とするカバー。
【請求項３１】
請求項２６乃至３０のいずれかに記載のカバーにおいて、前記カバーが装飾されていることを特徴とするカバー。
【請求項３２】
請求項２６乃至３１のいずれかに記載のカバーにおいて、前記カバーは魚のようなあるいは餌のような特徴をもつデザインが印刷されていることを特徴とするカバー。
【手続補正２】
【補正対象書類名】明細書
【補正対象項目名】全文
【補正方法】変更
【補正の内容】
【発明の詳細な説明】
【技術分野】
【０００１】
本発明は、フィッシングルアーに関する。
【背景技術】
【０００２】
本明細書において、従来技術への様々な言及は、これらの従来技術がこの分野における共通の知識として広く知られていると認めるものではない。
【０００３】
一般に、フィッシングルアーはプラスチックでなり、小魚、エビ、虫、昆虫の形状を有し、魚を捕らえるのに使用される。ルアーは、生きた餌の代わりに釣り糸に取り付けられる。
【発明の開示】
【発明が解決しようとする課題】
【０００４】
フィッシングルアーを選択するとき、アングラーは多数の不定要素を考慮する必要があり、たとえばフィッシングルアーが用いられる水の環境、釣りの対象となる魚の種類、フィッシングルアーを用いる釣り道具の種類、フィッシングルアーの使用勝手などである。さらに、アングラーはなにが魚を惹きつけるか、自身や他の人々の知覚を計算に入れる場合もある。例えば、アングラーは水中におけるフィッシングルアーの動作スタイルを考え、それが１またはそれ以上の種類の魚に特に魅力的であるようにする。結果として、アングラーは往々にして多数の異なるルアーを持ち運び、特定の釣りの環境、場所、魚の種類に適した色、形状、その他の特徴のルアーを使用できるようにする必要がある。
【０００５】
しかしながらルアーは悪ルアー形状を個別に装飾する必要があるため比較的高価である。さらに、ルアーは魚が噛んだり岩や倒木の粗い面に当たったりして損傷を受けるため寿命に制限があり、装飾仕上げが少なくとも部分的に破壊されることがある。
【０００６】
本発明の目的は、従来技術の上記欠点の１以上を解消または改善し、あるいは有用な代替案を提供することである。
【課題を解決するための手段】
【０００７】
このため、本発明の第１の目的はフィッシングルアーを提供することであり、前記ルアーは、
本体と；
外側カバーとを具え；
前記外側カバーが前記本体上に収縮されていることを特徴とする。
【０００８】
好適には、前記本体は、前記本体から出る１またはそれ以上の装着ポイントを具える。
【０００９】
好適には、前記本体は適切な樹脂またはラバー材料を成型してなる。
【００１０】
好適には、前記本体は魚の餌の形状を模した形状である。
【００１１】
ある好適な実施例では、前記本体は１より多いピースを具える。
【００１２】
好適には、これらのピースは連結され互いに関して動作可能に関節でつながっている。
【００１３】
好適には、前記外側カバーは装飾されている。
【００１４】
好適には、前記外側カバーは熱収縮材料で形成されている。
【００１５】
好適には、前記外側カバーはフィルムで形成されている。
【００１６】
一実施例では、前記外側カバーは、前記本体の少なくとも一部を通し前記本体にそって収縮するスリーブの形状である。
【００１７】
別の好適な実施例では、前記外側カバーは、前記本体を覆うほぼ平坦なシートの形状である。
【００１８】
好適には、前記本体は、前記外側カバーを前記本体に保持する保持部材を収容するチャネルまたは溝を具える。
【００１９】
好適には、前記外側カバーの開放端は前記チャネルまたは溝内に配置され、前記保持手段によりそこに保持される。
【００２０】
好適には、前記保持部材は圧縮性である。
【００２１】
好適には、前記チャネルまたは溝は、実質的に前記ルアー本体の前部と後部の間に延在する。
【００２２】
ある好適な実施例では、前記外側カバーは光を反射する材料で構成される。
【００２３】
本発明の第２の目的は、フィッシングルアーの製造方法を提供することにあり、この方法は：
本体を形成するステップと；
前記本体に外側カバーを設けるステップとを具え；
前記外側カバーが前記本体上に収縮してなることを特徴とする。
【００２４】
好適には、前記方法がさらに、前記本体が取り付けられるフレームを形成するステップを具える。
【００２５】
好適には、前記フレームはワイヤで構成される。
【００２６】
好適には、前記本体は適切な樹脂またはラバー材料で成型される。
【００２７】
好適には、前記本体は魚の餌の形状を模した形状である。
【００２８】
好適には、前記外側カバーは装飾されている。
【００２９】
好適には、前記外側カバーは熱収縮材料で形成され、熱により前記本体上に収縮される。
【００３０】
好適には、前記外側カバーは、前記本体の少なくとも一部を通し前記本体にそって収縮するスリーブの形状である。
【００３１】
本発明の第３の目的は、フィッシングルアー用の収縮材料でなる外側カバーを提供することである。
【００３２】
好適には、前記外側カバーは熱で収縮する材料で構成される。
【００３３】
好適には、前記外側カバーはフィルムで構成される。
【００３４】
好適には、前記外側カバーは、前記本体の少なくとも一部を通し前記本体にそって収縮するスリーブの形状である。
【００３５】
好適には、前記カバーは、フィルムに入射する光に応じて色が変わる反射面を具えるフィルムで構成される。
【００３６】
好適には、前記外側カバーが装飾されている。
【００３７】
好適には、前記カバーは魚のようなあるいは餌のような特徴をもつデザインが印刷されている。
【００３８】
文脈が明確に別のことを要求していない限り、本明細書およびクレームを通して、「具える」「具えている」または類似の語は、排他的あるいは消耗的な意味ではなく、包括的な意味；すなわち、「包含するが、これに限定されない」の意味として解釈されるべきである。
【発明を実施するための最良の形態】
【００３９】
本発明の好適な実施例を、あくまでも例示として、添付の図面を参照しながら以下に説明する。
【００４０】
図１は、フィッシングルアーのフレームであり、この上にルアー本体が成型される。このフレームは、釣り糸、１以上のフック、あるいは追加のルアー部材を固定するためのアタッチメント器具１２ａ、１２ｂ、１２ｃを具える。別の実施例では、１またはそれ以上のアタッチメント器具１２ｄが別に形成され、ルアー本体を形成する成型材料に包含され固定されてもよい。この好適な実施例において、サブフレーム１０は金属ワイヤや、ケブラーなどの他の適切な材料で構成されている。このフレームは、ルアーの鼻先に釣り糸を取り付けるためのリングまたはアイレット１２ａと、１以上のフックや更なるルアー要素を取り付けるリングまたはアイレット１２ｂ、１２ｃなどのアタッチメント器具を具える。このルアーはさらに、ルアーが流し釣りする際に所望の深さを移動し、および/または、不規則な動きや傷ついた餌を模した動きなどの所定の特徴を示すように、前記フレームに取り付けられ前記ルアー本体の外側に延在する１以上の部材１４を具えてもよい。
【００４１】
１以上の追加の部材１６が、ルアー本体の樹脂基質内に包含され、あるいは前記ルアー本体に固定されてもよい。この部材１６は、例えば、ノイズ発生装置またはラトルおよび/または錘および/または浮力器具である。この追加の部材１６は、製造時に好適にフレーム１０に組み込まれる。
【００４２】
図２は、カバーのないルアー本体３０であり、前記フレーム１０を適切な材料で包んで形成された１以上のパーツでなる。ある好適な実施例では、ぜんき本体は成型プラスチックで形成される。好適には、この本体３０は、１またはそれ以上の種類の餌の形状を模倣した形状を有する。アタッチメント器具１２ａ、１２ｂ、１２ｃは本体３０から突出している。ルアー本体はまた、ルアーの使用時にカバーを本体上に位置決めおよび保持する例えば隆起３５といった１またはそれ以上の突出構造を有してもよい。ルアー本体はさらに、ルアーが所定の特徴を示すように、１またはそれ以上のフィンまたは突出部を具えてもよい。これらの構造物は、ルアー本体と一体形成されるか、前記ルアー本体に取り付け可能な別部材であってもよい。
【００４３】
図３は、カバーのない、複数ピースからなるルアー本体３０であり、ルアー本体３０を構成する２以上の部分が関節でつながれており、ルアーを水中で動かす場合に各部が互いに関して動いて遊泳動作を擬態する。図示された実施例では、ルアー本体は関節ジョイント１８で連結された２つの部分３２ａ、３２ｂを具える。この本体３０は、ルアー本体の鼻先に装着ポイント１２ａと、２つの本体部分の昼間部に設けられた１以上の装着ポイント１４とを具える。この装着ポイント１４は、ルアー本体の外部であるが、前記ルアー本体の全体形状の内側に位置する。図１の説明で参照した複数の要素は、様々な装着ポイントに取り付け可能であり、本実施例では装着ポイント１４は少なくとも、あるいは付加的に互いに公知の手段で連結されて関節接続を構成し、これにより前記ルアー本体部分３２ａ、３２ｂが互いに独立して動作可能となる。装飾されたカバーまたはスリーブ（図示せず）がこのルアー本体の上に、前記装着ポイント１４を干渉することなく配置される。ルアーを水中で動かした場合のルアー本体部分３２ａ、３２ｂの連係動作は、餌の遊泳動作を擬態し、このルアーの反射カバーまたは表面で光の反射が増大する。ルアーの後部はテール型部分３４を有し、ここにルアー本体カバーのテール部分が貼り付けられる。このテール部分３４は、Ａ−Ａ線で分離され部分３２ｂに連結される別部材として、関節接続手段によりルアー本体部分３２ｂに連結されてもよい。
【００４４】
図４は、収縮可能なルアーカバー４０を示す。このカバーは好適にはルアー本体３０を中に通すスリーブ形状である。このスリーブ４０は、熱を加えると実質的に前記ルアー本体上に収縮し、前記ルアー本体またはルアー本体部分の形状に合致する。このスリーブ４０は、装飾された樹脂フィルムでなり、この樹脂フィルムは例えば高反射仕上げされた種類のものである。このフィルムの一実施例は、当該フィルムの面に入射する光に応じて色を変える高反射面を有する。このカバーは魚のような描写４２を有する印刷デザインを有し、例えば、ルアー本体の寸法と形状に矛盾しない魚類の複写であるか、魚を惹きつける他の形状である。このスリーブはまた、１またはそれ以上の開口４４を有し、このカバーと当該カバーの下の間に水が通るようにして、これにより前記開口とカバーの下に水が通るにつれ少なくとも１のカバー面の様相が変化し、あるいは光を異なる方向に反射する。カバー上のデザインは収縮を許容するようデザインされており、したがって当該カバーが前記本体の上に収縮した場合に所望の外観となるようデザインされている。
【００４５】
図５は、図４に示すカバー４０を、熱または他の手段により前記ルアー本体３０上に収縮させた状態を示す。スリーブを設けた後、適切な樹脂または金属で形成されたノーズピース３６がルアーのノーズ部分に設けられる。熱収縮材料の先端の隙間や穴に少量の粘着剤またはシーラントを適用して、流し釣りする圧力下で水がスリーブ先端の下に浸透し、前記スリーブがその下のルアー本体から剥がれないようにする。このカバーまたはスリーブ４０は、前記ルアー本体より長く、部分的に細いストリップ４６からなり、このルアーを水中で流し釣りする際に曲がり、魚を惹きつけるように光の反射や色を変化させる。透明な頂部のスリーブと、および/または他のカバーまたはスリーブの上に適用される装飾的な色彩または１またはそれ以上の餌の外観の特徴を描いた印刷４２とを含む、１より多い反射する色のカバーまたはスリーブを用いてもよい。別の実施例では、カバーまたはスリーブの部分４６は代わりにテール形状であり、図３に示すルアー本体のテール部分３４に収縮されてもよい。
【００４６】
図６は、ルアー本体３０の断面であり、外側装着器具２０を収容するスロット３８が設けられている。このスロット３８は、横方向の半円溝３９を具える。このスロットは、対応する半円溝２２であって前記半円溝３９と組み合わさって環形の穴を構成する器具２０を受け、この穴にロックピン２４が収容され、器具２０がスロット内の位置にロックされる。
【００４７】
図７は、カバー材料５０の平坦なストリップのある長さを示し、縦の開放端縁５２、５４を有する。この平坦なストリップは、１つのルアー本体のカバーピースを構成する２つの部分５５ａ、５５ｂを有する。この２つの部分５５ａ、５５ｂは、ストリップの隣接するカバーピースを分断するカットスペース５６で分離される。端縁５２および/または５４は、製造時に粘着剤が設けられ、粘着保護層またはストリップ（図示せず）を設けて輸送または収納用にストリップを巻回または折り畳む際に粘着剤が隣接する材料にくっつかないようにしてもよい。ルアー本体のカバーを作成するには、先端縁５８を有する第１のカバー部材５５ａを、分離線５６を切断してカバー材料５０の平坦なストリップから切り離し、切り離したカバー部材５５ａを図２に示すようにルアー本体の周囲に形成し、自由端縁５２、５４がアタッチメント器具１２ｂに接するか（図２参照）、互いに重ねる場合はアタッチメント器具１２ｂ用に小さなスリットを設け、開放端縁５２、５４の近くの面をルアー本体にホットメルト粘着剤などの粘着手段で貼り付け、粘着剤を設ける際に、熱源を前記カバーまたはスリーブに適用して当該カバーが前記ルアー本体の形状になるよう収縮させる。
【００４８】
別の実施例では、別に固い材料でなるテール型のピースを前記カバーまたはスリーブが重なる部分に挿入して、このカバーまたはスリーブを前記固い材料でなるテールピースの上で収縮させ、カバー材料の柔軟性によって前記ルアー本体から独立して動作可能なテール部分を構成してもよい。
【００４９】
別の実施例では、重なる部分には熱を加えず、重なる部分は収縮されない。この重なる部分は細片となるよう切り込まれる。
【００５０】
カバー材料の平坦なストリップは、縦の開放端縁２０２、２００４を互いに貼り付けてチューブ形に構成してもよい。チューブ形のカバー材料のストリップを用いてルアー本体のカバーを作成する方法は、本質的には平坦なカバー材料を用いる場合と同じだが、アタッチメント器具１２ｂ用のスリットを設ける必要がある点で異なる。あるいは、スリットが設けられない場合、カバー材料はアタッチメント器具１２の周囲に収縮したカバー材料に穴を開ける必要がある。
【００５１】
図８は、カバーのないルアー本体３０の側面図であり、図９は図８のルアー本体を下から見た図である。本実施例では、前記ルアー本体のほぼ前部から後部まで延在するルアー本体はチャネルまたは溝３６を有する。別の実施例では、チャネル３６は分断し、あるいは前記アタッチメント器具１２ｂの一方または他方の側に延在し、あるいは前記アタッチメント器具１２ｂの両側に分岐する。
【００５２】
図１０は、図７に示すルアー本体３０のＢ−Ｂ断面図であり、チャネル３６が前記チャネルの底の最も大きな断面積より僅かに小さい開口を有している。平坦なストリップまたはチューブ形でないカバーをルアー本体に用いる場合、カバー５０の開放端縁または少なくとも前記開放端縁に隣接する部分（断面図に部分的に示す）がチャネル３６に配置され、その後カバーが圧縮性の長い筒型小片６０を用いて前記チャネル内に保持され、この筒状小片６０の断面積はチャネル３６の断面積より僅かに大きい。この圧縮性小片６０のチャネル３６内への挿入は、凹面７２を有するツール７０により実現される。この凹面７２は圧縮性小片６０の凸面に押しつけられ、小片６０がチャネル３６内に押入される。さらに、開放端縁５２、５４が重なる場合、最初にチャネル３６に挿入される開放端縁の上面に粘着層が設けられ、次に他方の開放端縁を前記粘着層を設けた開放端縁の上に配置し、その後前記圧縮性小片６０がチャネル３６に押入される。
【００５３】
図１１は、ロールに蓄積されるか別の手段で折りたたまれあるいは保管された連続的なチューブ形から分離された、チューブ形カバーピース８０、９０からなるカバーの部分斜視図である。カバーピース９０は、前記ルアー本体の後部をカバーし、スリットまたは開口９２を具える。このスリットまたは開口は後壁９４を有し、カバーピース９０を前記ルアー本体に取り付ける際に後壁９４がアタッチメント器具１２ｃに接するか近接して、開放端部９６がアタッチメント器具１２ｃの前に出て、カバーピース８０が取り付けられ後ろの開放端部８２がカバーピース９０の前記開放先端９６の上を通り、アタッチメント器具１２ｂに接するか近接する。カバーピース９０のスリットまたは開口９２および開放先端９６は、これによりカバーピース８０に覆われ、熱または他の手段を用いてカバーピースを収縮する際に、双方のカバーピースが前記ルアー本体上に保持される。有利なことに、スリット９８とスリットまたは開口９２はカバー材料に形成されており、チューブ形構造に形成される前に小片状態となっている。アタッチメント器具、特に中央のアタッチメント器具１２ｂにフックが取り付けられている状態では、２以上のチューブ形カバーピースからなるチューブ形ルアーカバーを、前記フックを取り外さずに好適に適用できる。
【００５４】
図１２は、餌の形状の連続ストリップ１００の例示部分であり、熱で収縮しにくい高反射材料に餌の型１０２が印刷されＡＡ，ＢＢといったペアで切り出される。この餌の型のペアは尾部のポイント１０４と、背中部分のポイント１０６で連結されている。餌の型の各ペアは、尾部の連結ピース１０８と背中部分の連結ピース１１０とにより前記餌の型のペアにおける隣と繋がっている。前記連結ピースと連結ポイント以外の他の端部は開放端縁である。餌の型の連結された各ペアは、連結ピース１０８、１１０を切断することにより隣接するペアと切り離される。分離した餌の型のペアは、連結ポイント１０４、１０６で折られ、図３に示すようにルアー本体上に配置され、透明材料でなるチューブ形のカバースリーブ且つ熱で収縮し図９に示すカバーピース８０、９０と似た形状であるがストリップ４１５のないものが前記餌の型の上に被せられ、熱によりカバーピース８０、９０が収縮して当該カバーピース８０、９０と餌の型がルアー本体３０に隙間なくぴったりとなり、これにより魅力的で高反射性の疑似餌が作成される。
【００５５】
本発明を特定の実施例を参照して説明したが、当業者であれば本発明を別の形態で実現できることは明らかである。
【図面の簡単な説明】
【００５６】
【図１】図１は、ルアー本体が成型されるフレームを示す。
【図２】図２は、図１に示すフレームに成型されたカバーのないルアー本体の第１実施例を示す。
【図３】図３は、２つの部分からなるカバーのなりルアー本体を示し、各部分は互いに関節ジョイントで連結され、互いに関して動作可能である。
【図４】図４は、ルアー本体に取り付けられるルアーカバーまたはスリーブを示す。
【図５】図５は、図４に示すカバーまたはスリーブがルアー本体上に収縮された状態を示す。
【図６】図６は、ルアー本体の断面図であり、当該本体は外側装着器具を収容するスロットを具えている。
【図７】図７は、印刷されたルアーカバー材料の平坦なストリップを示す図である。
【図８】図８は、カバーのないルアー本体のさらなる実施例を示す図である。
【図９】図９は、図８に示すルアー本体を下から見た図である。
【図１０】図１０は、図９に示すルアー本体のＢ−Ｂ断面図である。
【図１１】図１１は、連続的なチューブ形から切り取られたチューブ形カバーピースでなるルアーカバーの斜視図である。
【図１２】図１２は、印刷された模様を有する餌の形状の連続ストリップの長さを示す図である。
【手続補正３】
【補正対象書類名】図面
【補正対象項目名】全図
【補正方法】変更
【補正の内容】
【図１】
2008500030.tif 000015
【図２】
2008500030.tif 000016
【図３】
2008500030.tif 000017
【図４】
2008500030.tif 000018
【図５】
2008500030.tif 000019
【図６】
2008500030.tif 000020
【図７】
2008500030.tif 000021
【図８】
2008500030.tif 000022
【図９】
2008500030.tif 000023
【図１０】
2008500030.tif 000024
【図１１】
2008500030.tif 000025
【図１２】
2008500030.tif 000026
【国際調査報告】
2008500030.tif 000027
2008500030.tif 000028
2008500030.tif 000029
2008500030.tif 000030